(57)【要約】  【課題】  壁の出隅角部における巾木同士の接続を美観性を向上させつつ簡単に行うことができるとともに巾木の縮みにも対応できる巾木接続部分カバー材を提供すること。  【解決手段】    一方の巾木１１の端部１２を被嵌する一方受入部３２および他方の巾木２１の端部２２を被嵌する他方受入部３３が形成されたカバー本体３１を有し、このカバー本体３１内に、複数個の補強リブ４１を相互に離隔するようにかつ当該各補強リブ端面４２が一方受入部３２に被嵌された一方の巾木１１の端面１２と当接しかつ当該各補強リブ４１のうち最外方の補強リブ４１の外側面４３が他方受入部３３に被嵌された他方の巾木２１の端面２２と当接するように設けるとともに、当該各補強リブ４１の間の空き空間を利用して接着剤を貯留する接着剤溜まり部４５を設けるとともに、最外方の補強リブ４１の外側面４３には接着剤を貯留する凹部４６を設ける。【選択図】      図１
2007285049.tif 000002
【特許請求の範囲】
【請求項１】
２つの巾木の端部を壁面の出隅角部で接続するために用いられる巾木接続部分カバー材であって、
一方の巾木の端部を被嵌する一方受入部および他方の巾木の端部を被嵌する他方受入部が形成されたカバー本体を有し、
このカバー本体内には、複数個の補強リブが相互に離隔するようにかつ当該各リブ端面が前記一方受入部に被嵌された一方の巾木の端面と当接しかつ当該各リブのうち最外方のリブの外側面が前記他方受入部に被嵌された他方の巾木の端面と当接するように設けられるとともに、当該各補強リブの間の空き空間を利用して接着剤を貯留する接着剤溜まり部が設けられるとともに前記最外方のリブの外側面には接着剤を貯留する凹部が設けられたことを特徴とする巾木接続部分カバー材。
【発明の詳細な説明】
【技術分野】
【０００１】
本発明は、本発明は、２つの巾木の端部を壁の出隅角部で接続するために用いられる巾木接続部分カバー材に関する。
【背景技術】
【０００２】
巾木は、壁面と床面との境界部分を隠して意匠の美観性を高めるために用いられる。
【０００３】
図４に示すように、壁面８１の出隅角部８１ｃにおいては、一方の巾木８６の端部８６ａおよび他方の巾木８７の端部８７ａをそれぞれ４５度に切断して、外から見て両者（８６ａ，８７ａ）が当該出隅角部８１ｃで連続するように施工されている（例えば、特許文献１参照）。
【特許文献１】特開平１０−２２７１２０号公報の従来の技術の欄
【発明の開示】
【発明が解決しようとする課題】
【０００４】
しかし、上記した従来例（例えば特許文献１）においては、両巾木（８６，８７）の端部（８６ａ，８７ａ）のしかるべき箇所を正確に４５度にカットしなければ当該両端部（８６ａ，８７ａ）の接続部分に隙間が生じてしまうなど体裁が悪くなってしまう。しかし、両巾木（８６，８７）接続部分の切断作業に多くの手間をかけていたのでは施工期間を長引かせる原因の一つとなってしまう。また、両巾木端部（８６ａ，８７ａ）を体裁よく接続しても、室内の温度や湿度の変動によって当該両巾木（８６，８７）が縮んでしまい当該接続箇所が離れてしまったりすることがある。
【０００５】
本発明の目的は、壁面の出隅角部における巾木同士の接続を美観性を向上させつつ簡単に行うことができるとともに巾木の縮みにも対応できる巾木接続部分カバー材を提供することにある。
【課題を解決するための手段】
【０００６】
上記目的を達成するために、請求項１の発明は、２つの巾木の端部を壁面の出隅角部で接続するために用いられる巾木接続部分カバー材であって、一方の巾木の端部を被嵌する一方受入部および他方の巾木の端部を被嵌する他方受入部が形成されたカバー本体を有し、このカバー本体内には、複数個の補強リブが相互に離隔するようにかつ当該各リブ端面が前記一方受入部に被嵌された一方の巾木の端面と当接しかつ当該各リブのうち最外方のリブの外側面が前記他方受入部に被嵌された他方の巾木の端面と当接するように設けられるとともに、当該各補強リブの間の空き空間を利用して接着剤を貯留する接着剤溜まり部が設けられるとともに前記最外方のリブの外側面には接着剤を貯留する凹部が設けられたものである。
【０００７】
上記請求項１の発明の場合、壁面の出隅角部において、一方の巾木の端部はカバー本体の一方受入部に被嵌され隠される。また、他方の巾木の端部はカバー本体の他方受入部に被嵌され隠される。したがって、両巾木の端部を正確に４５度にカットする面倒な作業を行う必要がなくなる。また、両巾木の端部はカバー本体に隠されるので、当該巾木端部がカバー本体内で縮んで接続箇所が離れたとしても美観性が損なわれることはない。
【０００８】
しかも、カバー本体内には、接続される巾木の端部に対応して接着剤貯留箇所がそれぞれ設けられている（すなわち、接着剤溜まり部および凹部）ので、当該両端部とカバー本体との接合に接着剤を大量に使っても接着剤がカバー本体の外部に出たりして周囲を汚すこともない。しかも、接着剤は硬化するまでに両巾木の端部とカバー本体との接合箇所に長らく止まるので、接合箇所は強固に接合される。なお、カバー本体は、各リブによって、構造強度が増大する。
【発明の効果】
【０００９】
請求項１の発明によれば、一方の巾木の端部を被嵌する一方受入部および他方の巾木の端部を被嵌する他方受入部が形成されたカバー本体を有し、このカバー本体内には、複数個の補強リブが設けられ、しかも当該各補強リブの間の空き空間を利用して接着剤を貯留する接着剤溜まり部が設けられるとともに最外方のリブの外側面には接着剤を貯留する凹部が設けられているので、壁面の出隅角部において、両巾木の端部はカバー本体によって隠され、従来のように正確かつ慎重に４５度にカットする面倒な作業を行う必要がなくなる。また、両巾木端部がカバー本体内で若干縮んで接続箇所が離れたとしても美観性が損なわれることはない。
【００１０】
また、カバー本体内には、接続される巾木の端部に応じて接着剤貯留箇所がそれぞれ設けられている（すなわち、接着剤溜まり部および凹部）ので、当該両端部とカバー本体との接合に接着剤を大量に使っても接着剤がカバー本体の外部に出たりして周囲を汚すこともない。しかも、接着剤は硬化するまでに両巾木の端部とカバー本体との接合箇所に長らく止まるので、接合箇所は強固に接合される。
【発明を実施するための最良の形態】
【００１１】
以下、本発明の実施の形態を図面を参照しながら説明する。
【００１２】
ここで、図１は、本発明に係る巾木接続部分カバー材の要部を説明するための図で、（Ａ）は縦断面図、（Ｂ）は底面図、（Ｃ）はＸ−Ｘ線による横断面図である。図２は本巾木接続部分カバー材の外観を示す図である。図３は、本巾木接続部分カバー材の取付を説明するための図である。
【００１３】
本発明に係る巾木接続部分カバー材３０は、図３に示すように、２つの巾木（１１，２１）の端部（１２，２２）を壁面５の出隅角部５ｃで接続するために用いられるものであって、カバー本体３１を有している。
【００１４】
このカバー本体３１には、図３および図１（Ｃ）に示すように、一方の巾木１１の端部１２を被嵌する一方受入部３２と、他方の巾木２１の端部２２を被嵌する他方受入部３３とが形成されている。より具体的には、カバー本体３１の一方受入部３２と他方受入部３３とは、壁面５の出隅角部５ｃに対応して直交するように形成されている。この実施形態では、カバー本体３１は、ＡＢＳ樹脂の成形品とされ、縦方向に長く横断面が四半円形状とされている。なお、同図（Ａ）において、３５はカバー本体３１の上面部である。
【００１５】
このカバー本体３１には、複数個の補強リブ４１が相互に離隔するようにかつ当該各補強リブ端面４２が一方受入部３２に被嵌された一方の巾木１１の端面１２と当接しかつ当該各補強リブ４１のうち最外方のリブ４１の外側面４３が他方受入部３３に被嵌された他方の巾木２１の端面２３と当接するように設けられている。また、カバー本体３１には、上記した各補強リブ４１の間の空き空間を利用して接着剤を貯留する接着剤溜まり部４５が設けられるとともに、当該最外方の補強リブ４１の外側面４３には、接着剤を貯留する凹部４６が設けられている。なお、上記各補強リブ４１は、図１（Ｃ）では紙面と直交する方向に伸延しており、上記凹部４６も同図中紙面と直交する方向に伸延している。
【００１６】
上記した構成の本巾木接続部分カバー材３０の場合、壁面５の出隅角部５ｃにおいて、一方の巾木１１の端部１２はカバー本体３１の一方受入部３２に被嵌され隠される。また、他方の巾木２１の端部２２はカバー本体３１の他方受入部３３に被嵌され隠される。したがって、両巾木（１１，２１）の端部（１２，２２）を正確に４５度にカットする面倒な作業を行う必要がなくなる。また、両巾木（１１，２１）の端部（１２，２２）はカバー本体３１に隠されるので、当該巾木端部（１２，２２）がカバー本体３１内で縮んで接続箇所が離れたとしても美観性が損なわれることはない。なお、図３では、両巾木端部（１２，２２）が干渉しないように、ラフなカット処理はしている。
【００１７】
しかも、カバー本体３１内には、接続される巾木（１１，２１）の端部（１２，２２）に対応して接着剤貯留箇所がそれぞれ設けられている（すなわち、接着剤溜まり部４５および凹部４６）ので、当該両端部（１２，２２）とカバー本体３１との接合に接着剤を大量に使っても接着剤がカバー本体３１の外部に出たりして周囲を汚すこともない。しかも、接着剤は硬化するまでに両巾木（１１，２１）の端部（１２，２２）とカバー本体３１との接合箇所に長らく止まるので、接合箇所は強固に接合される。しかも、カバー本体３１は、各補強リブ４１によって、構造強度が増大する。
【図面の簡単な説明】
【００１８】
【図１】本発明に係る巾木接続部分カバー材を説明するための図である。
【図２】本巾木接続部分カバー材の外観を示す図である。
【図３】本巾木接続部分カバー材の取付を説明するための図である。
【図４】壁面の出隅角部における従来巾木接続の問題点を説明するための横断面図である。
【符号の説明】
【００１９】
１１  一方の巾木
１２  端部
２１  他方の巾木
２２  端部
３０  巾木接続部分カバー材
３１  カバー本体
３２  一方受入部
３３  他方受入部
４１  補強リブ
４２  端面
４５  接着剤溜まり部
４６  凹部
【図１】
2007285049.tif 000003
【図２】
2007285049.tif 000004
【図３】
2007285049.tif 000005
【図４】
2007285049.tif 000006